【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、
前記レーザホルダは、前記レーザダイオードを固定する枠体であり、該枠体の底部に突設された当接部及び前記底部に対向する前記枠体の頭部に前記当接部に対応した頭頂部を有し、
前記ホルダ受け台は、前記当接部を当接支持する受け面、前記レーザ光を通過させる貫通孔、及び前記当接部が前記受け面を押圧する方向に前記頭頂部を押圧する押圧手段を有し、
前記受け面は、前記光ヘッドの光軸に略垂直な平面であり、前記当接部は、前記レーザダイオードの発光点を通り前記光軸に垂直な中心軸からの半径で距離を規定され前記光軸と交差するように形成された円弧面としてあること
を特徴とする光ヘッド。
【請求項２】
前記当接部は、前記枠体の対向する２箇所に一対形成してあることを特徴とする請求項１に記載の光ヘッド。
【請求項３】
前記頭頂部は、前記中心軸を有する円弧面からなる突起であり、前記押圧手段は、前記光軸に垂直な平面状の押圧面を有する押圧部材によって前記頭頂部を押圧する構成としてあることを特徴とする請求項１又は請求項２に記載の光ヘッド。
【請求項４】
前記中心軸から前記当接部の円弧面までの距離は、前記中心軸から前記頭頂部の円弧面までの距離より小さいことを特徴とする請求項３に記載の光ヘッド。
【請求項５】
前記当接部は、円弧面に連続して外接するテーパー面を有することを特徴とする請求項１乃至請求項４のいずれか一つに記載の光ヘッド。
【請求項６】
レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、
前記レーザホルダは、前記レーザダイオードを固定する枠体であり、該枠体の底部には２平面が交差する稜線部を突設した当接部が設けられ、前記底部に対向する前記枠体の頭部に前記当接部に対応した頭頂部を有し、
該頭頂部は、前記稜線部を中心軸とする半径で距離を規定された円弧面からなる突起であり、
前記ホルダ受け台は、前記当接部を当接支持する受け面、前記レーザ光を通過させる貫通孔、及び前記当接部が前記受け面を押圧する方向に前記頭頂部を押圧する押圧手段を有し、
前記受け面は、前記光ヘッドの光軸に略垂直な平面であり、前記稜線部は、前記レーザダイオードの発光点を通り前記光軸に垂直な直線に一致していること
を特徴とする光ヘッド。
【請求項７】
前記当接部は、前記枠体の対向する２箇所に一対形成してあることを特徴とする請求項６に記載の光ヘッド。
【請求項８】
前記押圧手段は、前記光軸に垂直な平面状の押圧面を有する押圧部材によって前記頭頂部を押圧する構成としてあることを特徴とする請求項６または請求項７に記載の光ヘッド。
【請求項９】
前記ホルダ受け台は、光ピックアップ装置のハウジングと一体化してあることを特徴とする請求項１乃至請求項８のいずれか一つに記載の光ヘッド。
【請求項１０】
光ヘッドからのレーザ光を情報記録媒体に照射して情報の記録／再生を行う光ピックアップ装置において、
前記光ヘッドは、請求項１乃至請求項９のいずれか一つに記載の光ヘッドであることを特徴とする光ピックアップ装置。
【手続補正２】
【補正対象書類名】明細書
【補正対象項目名】００１６
【補正方法】変更
【補正の内容】
【００１６】
本発明に係る光ヘッドは、レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、前記レーザホルダは、前記レーザダイオードを固定する枠体であり、該枠体の底部に突設された当接部及び前記底部に対向する前記枠体の頭部に前記当接部に対応した頭頂部を有し、前記ホルダ受け台は、前記当接部を当接支持する受け面、前記レーザ光を通過させる貫通孔、及び前記当接部が前記受け面を押圧する方向に前記頭頂部を押圧する押圧手段を有し、前記受け面は、前記光ヘッドの光軸に略垂直な平面であり、前記当接部は、前記レーザダイオードの発光点を通り前記光軸に垂直な中心軸からの半径で距離を規定され前記光軸と交差するように形成された円弧面としてあることを特徴とする。
【手続補正３】
【補正対象書類名】明細書
【補正対象項目名】００２０
【補正方法】変更
【補正の内容】
【００２０】
また、ホルダ受け台は、受け面が平面であるので容易に高精度に加工でき、製造コストを低く抑えることができる。さらに、レーザホルダは押圧手段によってホルダ受け台に押圧支持されるので、常にレーザホルダの姿勢が一定に保持され、レーザホルダの位置調整、角度調整が行い易く、また、調整後の作業も行い易くなっている。すなわち、レーザホルダの姿勢が保持されない構造である場合には、調整後の状態を治具等によって仮固定する必要があるが、このような仮固定する必要がなくなる。また、レーザホルダは押圧手段によって光ヘッドの光軸方向以外の方向（光ヘッドの光軸に対して垂直な方向）から押圧されないので、光軸に垂直な方向に容易に移動することができ、またレーザホルダを容易に傾けることができる。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００３４
【補正方法】変更
【補正の内容】
【００３４】
また、本発明に係る光ヘッドは、レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、前記レーザホルダは、前記レーザダイオードを固定する枠体であり、該枠体の底部には２平面が交差する稜線部を突設した当接部が設けられ、前記底部に対向する前記枠体の頭部に前記当接部に対応した頭頂部を有し、該頭頂部は、前記稜線部を中心軸とする半径で距離を規定された円弧面からなる突起であり、前記ホルダ受け台は、前記当接部を当接支持する受け面、前記レーザ光を通過させる貫通孔、及び前記当接部が前記受け面を押圧する方向に前記頭頂部を押圧する押圧手段を有し、前記受け面は、前記光ヘッドの光軸に略垂直な平面であり、前記稜線部は、前記レーザダイオードの発光点を通り前記光軸に垂直な直線に一致していることを特徴とする。
【手続補正８】
【補正対象書類名】明細書
【補正対象項目名】００４０
【補正方法】変更
【補正の内容】
【００４０】
また、当接部は２平面から構成されているので、当接部を容易に高精度に加工形成することができる。さらに、レーザホルダは押圧手段によってホルダ受け台に押圧支持されているので、常にレーザホルダの姿勢が一定に保持され、レーザホルダの位置調整・角度調整を行い易く、また、調整後の作業も行い易くなっている。すなわち、レーザホルダの姿勢が保持されない構造である場合には、調整後の状態を治具等によって仮固定する必要があるが、このような仮固定する必要がなくなる。また、レーザホルダは押圧手段によって光ヘッドの光軸方向以外の方向（光軸に対して垂直な方向）から押圧されないので、光軸に垂直な方向に容易に移動することができ、またレーザホルダを容易に傾けることができる。また、頭頂部は稜線部と一致する中心軸をもつ円弧面からなっており、レーザホルダを傾けても、レーザホルダは稜線部に対して回動することになるので、稜線部が受け面に当接する当接点と頭頂部が押圧面に接する押圧接点との距離が変化しない。すなわち、当接点と押圧接点との距離が一定であるので、押圧部材が頭頂部を押圧する力は変化せず、常に安定した状態でレーザホルダが押圧支持される。
【手続補正９】
【補正対象書類名】明細書
【補正対象項目名】００４３
【補正方法】変更
【補正の内容】
【００４３】
また、本発明に係る光ヘッドでは、前記押圧手段は、前記光軸に垂直な平面状の押圧面を有する押圧部材によって前記頭頂部を押圧する構成としてあることを特徴とする。
【手続補正１０】
【補正対象書類名】明細書
【補正対象項目名】００４４
【補正方法】削除
【補正の内容】
【手続補正１１】
【補正対象書類名】明細書
【補正対象項目名】００４５
【補正方法】削除
【補正の内容】
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】変更
【補正の内容】
【００４７】
この構成により、受け面と押圧面は光軸に対して垂直な平面であって互いに平行であることから、レーザホルダを傾けて回動させても、押圧面の押圧方向は常に光軸方向となるので、レーザホルダは安定した姿勢で押圧支持される。